(57)【特許請求の範囲】
【請求項１】
物体側から像側へ順に、変倍のためには移動しない正の屈折力を有する第１レンズ群、変倍のために移動する負の屈折力を有する第２レンズ群、変倍のために移動する２つのレンズ群、絞り、変倍のためには移動しない正の屈折力を有する固定レンズ群から構成され、以上のレンズ群における隣り合うレンズ群の間隔はいずれも変倍のために変化するズームレンズにおいて、前記第１レンズ群は、物体側から像側へ順に、フォーカシングのためには移動しない第１１レンズ群、無限遠物体から近距離物体へのフォーカシングのために物体側に移動する正の屈折力を有する第１２レンズ群、正の屈折力を有する第１３レンズ群から構成され、前記第１レンズ群における隣り合うレンズ群の間隔はいずれもフォーカシングのために変化し、前記第１レンズ群の焦点距離をｆ１とし、前記第２レンズ群の焦点距離をｆ２として、
−６．２＜ｆ１／ｆ２＜−３．３
なる条件式を満たすことを特徴とするズームレンズ。
【請求項２】
物体側から像側へ順に、変倍のためには移動しない正の屈折力を有する第１レンズ群、変倍のために移動する負の屈折力を有する第２レンズ群、変倍のために移動する１以上のレンズ群、絞り、変倍のためには移動しない正の屈折力を有する固定レンズ群から構成され、以上のレンズ群における隣り合うレンズ群の間隔はいずれも変倍のために変化するズームレンズにおいて、前記第１レンズ群は、物体側から像側へ順に、フォーカシングのためには移動しない第１１レンズ群、無限遠物体から近距離物体へのフォーカシングのために物体側に移動する正の屈折力を有する第１２レンズ群、フォーカシングのためには移動しない正の屈折力を有する第１３レンズ群から構成され、前記第１レンズ群における隣り合うレンズ群の間隔はいずれもフォーカシングのために変化し、前記第１レンズ群の焦点距離をｆ１とし、前記第２レンズ群の焦点距離をｆ２として、
−６．２＜ｆ１／ｆ２＜−３．３
なる条件式を満たすことを特徴とするズームレンズ。
【請求項３】
物体側から像側へ順に、変倍のためには移動しない正の屈折力を有する第１レンズ群、変倍のために移動する負の屈折力を有する第２レンズ群、変倍のために移動する１以上のレンズ群、絞り、変倍のためには移動しない正の屈折力を有する固定レンズ群から構成され、以上のレンズ群における隣り合うレンズ群の間隔はいずれも変倍のために変化するズームレンズにおいて、前記第１レンズ群は、物体側から像側へ順に、フォーカシングのためには移動しない第１１レンズ群、無限遠物体から近距離物体へのフォーカシングのために物体側に移動する正の屈折力を有する第１２レンズ群、正の屈折力を有する第１３レンズ群から構成され、前記第１レンズ群における隣り合うレンズ群の間隔はいずれもフォーカシングのために変化し、前記第１２レンズ群は、像側に凸面を向けた負の屈折力を有するメニスカス状のレンズを有し、前記第１レンズ群の焦点距離をｆ１とし、前記第２レンズ群の焦点距離をｆ２として、
−６．２＜ｆ１／ｆ２＜−３．３
なる条件式を満たすことを特徴とするズームレンズ。
【請求項４】
前記第１２レンズ群は、物体側から２枚目に前記メニスカス状のレンズを有することを特徴とする請求項３に記載のズームレンズ。
【請求項５】
前記第１３レンズ群はフォーカシングのためには移動しないことを特徴とする請求項１、請求項３、請求項４のうちいずれか１項に記載のズームレンズ。
【請求項６】
前記第１２レンズ群は、像側に凸面を向けた負の屈折力を有するメニスカス状のレンズを有することを特徴とする請求項１または請求項２に記載のズームレンズ。
【請求項７】
前記第１２レンズ群は、物体側から２枚目に像側に凸面を向けたメニスカス状の負の屈折力のレンズを有することを特徴とする請求項６に記載のズームレンズ。
【請求項８】
前記第１２レンズ群の焦点距離をｆ１２として、
１．１＜ｆ１２／ｆ１＜２．２
なる条件式を満たすことを特徴とする請求項１ないし請求項７のうちいずれか１項に記載のズームレンズ。
【請求項９】
前記第１３レンズ群の焦点距離をｆ１３として、
３．２＜ｆ１３／ｆ１＜５．８
なる条件式を満たすことを特徴とする請求項１ないし請求項８のうちいずれか１項に記載のズームレンズ。
【請求項１０】
前記第１レンズ群の後側主点の前記第１レンズ群の最終面からの距離をｏｋとし、前記第１レンズ群の光軸上の厚さをＤとして、
−０．１＜ｏｋ／Ｄ＜０．４
なる条件式を満たすことを特徴とする請求項１ないし請求項９のうちいずれか１項に記載のズームレンズ。
【請求項１１】
請求項１ないし請求項１０のうちいずれか１項に記載のズームレンズと、
前記ズームレンズによって形成された像を受ける撮像素子と、
を含むことを特徴とする撮像装置。
【発明の詳細な説明】
【技術分野】
【０００１】
本発明は、ズームレンズ及びそれを有する撮像装置に関し、放送用テレビカメラ、ビデオカメラ、デジタルスチルカメラ、銀塩写真用カメラ等に好適なものである。
【背景技術】
【０００２】
近年、テレビカメラ、銀塩写真用カメラ、デジタルスチルカメラ、ビデオカメラ等の撮像装置には、大口径比、高ズーム比かつ高い光学性能を有したズームレンズが要望されている。大口径比、高ズーム比のズームレンズとして、最も物体側に正の屈折力のレンズ群を配し、全体として４つのレンズ群よりなるポジティブリード型の４群ズームレンズが知られている。この４群ズームレンズは、物体側から像側へ順に合焦用の第１レンズ群、変倍用の負の屈折力の第２レンズ群、変倍に伴う像面変動を補正するための第３レンズ群、結像用の正の屈折力の第４レンズ群の構成を有することが知られている。
【０００３】
例えば特許文献１では、第１レンズ群を物体側から負レンズ群Ｇ１１、第１の正レンズ群Ｇ１２、第２の正レンズ群Ｇ１３に分割している。第１の正レンズ群Ｇ１２を光軸上で移動することにより、フォーカシングを行うインナーフォーカス式のズームレンズが提案されている。（特許文献１）
【先行技術文献】
【特許文献】
【０００４】
【特許文献１】特許第４４６９６２５号公報
【発明の概要】
【発明が解決しようとする課題】
【０００５】
撮像素子の高画素化に伴い、全ズーム領域、全フォーカス領域で高い光学性能が求められている。前述したポジティブリード型の４群ズームレンズにおいて、また、５群以上から構成されるズームレンズにおいて、全ズーム領域、全フォーカス領域で、高い光学性能を実現するには、各レンズの屈折力やレンズ構成、特に第１レンズ群内のパワー配置やレンズ構成を適切に設定する必要がある。この第１レンズ群内のパワー配置やレンズ構成が最適でないと、全ズーム領域、全フォーカス領域で、高性能化を図ることが困難となる。また、第１レンズ群内のレンズ枚数を増加させて収差補正上の自由度を増やすことで高性能化を図ると、第１レンズ群が重厚長大化してくる。
【０００６】
本発明は、例えば、全ズーム領域および全フォーカス領域での高い光学性能、および小型の点で有利なズームレンズの提供を目的とする。
【課題を解決するための手段】
【０００７】
上記目的を達成するために、本発明のズームレンズは、物体側から像側へ順に、変倍のためには移動しない正の屈折力を有する第１レンズ群、変倍のために移動する負の屈折力を有する第２レンズ群、変倍のために移動する２つのレンズ群、絞り、変倍のためには移動しない正の屈折力を有する固定レンズ群から構成され、以上のレンズ群における隣り合うレンズ群の間隔はいずれも変倍のために変化し、前記第１レンズ群は、物体側から像側へ順に、フォーカシングのためには移動しない第１１レンズ群、無限遠物体から近距離物体へのフォーカシングのために物体側に移動する正の屈折力を有する第１２レンズ群、正の屈折力を有する第１３レンズ群から構成され、前記第１レンズ群における隣り合うレンズ群の間隔はいずれもフォーカシングのために変化し、前記第１レンズ群の焦点距離をｆ１とし、前記第２レンズ群の焦点距離をｆ２として、
−６．２＜ｆ１／ｆ２＜−３．３
なる条件式を満たすことを特徴とする。
【発明の効果】
【０００８】
本発明は、例えば、全ズーム領域および全フォーカス領域での高い光学性能、小型の点で有利なズームレンズを得ることができる。
【図面の簡単な説明】
【０００９】
【図１】実施例１のズームレンズの、（Ａ）広角端の無限遠フォーカス時、（Ｂ）広角端の至近距離（第１面より９００ｍｍ）フォーカス時、におけるレンズ断面図である。
【図２】実施例１の、（Ａ）広角端・無限遠フォーカス時、（Ｂ）広角端至近距離（第１面より９００ｍｍ）フォーカス時、（Ｃ）望遠端・無限遠フォーカス時、（Ｄ）望遠端・至近距離（第１面より９００ｍｍ）フォーカス時の収差図である。
【図３】実施例２のズームレンズの、（Ａ）広角端の無限遠フォーカス時、（Ｂ）広角端の至近距離（第１面より９００ｍｍ）フォーカス時、におけるレンズ断面図である。
【図４】実施例２の、（Ａ）広角端・無限遠フォーカス時、（Ｂ）広角端至近距離（第１面より９００ｍｍ）フォーカス時、（Ｃ）望遠端・無限遠フォーカス時、（Ｄ）望遠端・至近距離（第１面より９００ｍｍ）フォーカス時の収差図である。
【図５】実施例３のズームレンズの、（Ａ）広角端の無限遠フォーカス時、（Ｂ）広角端の至近距離（第１面より９００ｍｍ）フォーカス時、におけるレンズ断面図である。
【図６】実施例３の、（Ａ）広角端・無限遠フォーカス時、（Ｂ）広角端至近距離（第１面より９００ｍｍ）フォーカス時、（Ｃ）望遠端・無限遠フォーカス時、（Ｄ）望遠端・至近距離（第１面より９００ｍｍ）フォーカス時の収差図である。
【図７】実施例４のズームレンズの、（Ａ）広角端の無限遠フォーカス時、（Ｂ）広角端の至近距離（第１面より９００ｍｍ）フォーカス時、におけるレンズ断面図である。
【図８】実施例４の、（Ａ）広角端・無限遠フォーカス時、（Ｂ）広角端至近距離（第１面より９００ｍｍ）フォーカス時、（Ｃ）望遠端・無限遠フォーカス時、（Ｄ）望遠端・至近距離（第１面より９００ｍｍ）フォーカス時の収差図である。
【図９】実施例５のズームレンズの、（Ａ）広角端の無限遠フォーカス時、（Ｂ）広角端の至近距離（第１面より８５０ｍｍ）フォーカス時、におけるレンズ断面図である。
【図１０】実施例５の、（Ａ）広角端・無限遠フォーカス時、（Ｂ）広角端至近距離（第１面より８５０ｍｍ）フォーカス時、（Ｃ）望遠端・無限遠フォーカス時、（Ｄ）望遠端・至近距離（第１面より８５０ｍｍ）フォーカス時の収差図である。
【図１１】各実施例のズームレンズを撮影光学系として用いた撮像装置（テレビカメラシステム）の要部概略図である。
【図１２】フォーカス前後におけるレンズ群へ入射する軸外近軸光線を示した近軸配置図である。
【発明を実施するための形態】
【００１０】
以下に本発明の実施の形態を添付の図面を参照しながら詳細に説明する。
【００１１】
本発明のズームレンズは物体側から像側へ順に、変倍のためには移動しない正の屈折力を有する第１レンズ群、変倍に際して移動する負の屈折力を有する第２レンズ群、１群以上が移動する変倍レンズ群、絞り、変倍のためには移動しない正の屈折力を有する固定レンズ群により構成される。また、ズームレンズにおいて、第１レンズ群は物体側から像側へ順に、フォーカシングのためには移動しないフォーカシング第１１レンズ群、無限遠物体から近距離物体へのフォーカシングフォーカシングに際して物体側へ移動する正の屈折力を有する第１２レンズ群、正の屈折力を有する第１３レンズ群で構成されるズームレンズであることを特徴とする。
【００１２】
本発明において、前述のフォーカス方式を採用した場合の光学的作用について説明する。
ズームレンズでは、第１レンズ群をフォーカシング（焦点調節）のためには移動しない第１１レンズ群、無限遠物体から近距離物体へのフォーカシングに際し物体側に移動する第１２レンズ群から構成されるインナーフォーカス方式が一般に存在する。
【００１３】
このフォーカス方式の近軸配置を図１２（ａ）に示す。
フォーカシングのためには移動しない第１１レンズ群をＵ１１として、無限遠物体から近距離物体へのフォーカシングに際して物体側に移動する第１２レンズ群をＵ１２として示す。第１１レンズ群及び第１２レンズ群各々の近軸位置をそれぞれＰ１１、Ｐ１２として示す。第１２レンズ群のフォーカシング後の近軸位置はＰ１２Ａとして示す。
【００１４】
実線は軸外近軸光線を示し、Ｈ１１は第１１レンズ群での軸外近軸光線の位置、Ｈ１２は第１２レンズ群での軸外近軸光線の位置を示している。また、Ｈ１１ＡとＨ１２Ａはそれぞれ、フォーカシング後の軸外近軸光線の位置に関して示している。ΔＨ１１Ａは第１１レンズ群におけるフォーカシング前後の軸外近軸光線の変化量を示し、またΔＨ１２Ａは第１２レンズ群におけるフォーカシング前後の軸外近軸光線の変化量を示している。
【００１５】
次に、本発明のフォーカス方式の近軸配置を図１２（ｂ）に示す。
フォーカシングのためには移動しない第１１レンズ群をＵ１１として、無限遠物体から近距離物体へのフォーカシングに際して物体側に移動する第１２レンズ群をＵ１２として、フォーカシングのためには移動しない第１３レンズ群をＵ１３として示す。第１１レンズ群、第１２レンズ群、第１３レンズ群各々の近軸位置はそれぞれＰ１１、Ｐ１２、Ｐ１３として示す。第１２レンズ群のフォーカシング後の近軸位置はＰ１２Ｂとして示す。
【００１６】
実線は軸外近軸光線を示し、Ｈ１１は第１１レンズ群での軸外近軸光線の位置、Ｈ１２は第１２レンズ群での軸外近軸光線の位置、Ｈ１３は第１３レンズ群での軸外近軸光線の位置を示している。また、Ｈ１１ＢとＨ１２Ｂはそれぞれ、フォーカシング後の軸外近軸光線の位置に関して示している。ΔＨ１１Ｂは第１１レンズ群におけるフォーカシング前後の軸外近軸光線の変化量を示し、またΔＨ１２Ｂは第１２レンズ群におけるフォーカシング前後の軸外近軸光線の変化量を示している。
【００１７】
従来の技術（図１２ａ）では、Δ１１Ａによって発生する諸収差の発生が、Δ１２Ａによって発生する諸収差よりも大きくなってしまう。そのため、フォーカシング時の諸収差の変動を抑え、高い光学性能を有することが困難であった。
【００１８】
本発明（図１２ｂ）では前述の課題を解決するため、第１３レンズ群を固定することで、第１２レンズ群の繰り出し量を適切な範囲で設定することが可能になる。その結果、Δ１２Ｂによって発生する諸収差を大きくし、Δ１１Ａによって発生する諸収差の発生を打ち消している。これにより、フォーカス時の諸収差の変動を抑えることで、高い光学性能を有しつつ、小型化を達成したズームレンズを得ることが可能になっている。
【００１９】
更に、以下の条件式を満足する事が望ましい。
−６．２＜ｆ１／ｆ２＜−３．３      （１）
ここで、ｆ１は変倍のためには移動しない正の屈折力を有する第１レンズ群の焦点距離を示し、ｆ２は変倍に際して移動する負の屈折力を有する第２レンズ群の焦点距離を示す。条件式（１）は、変倍のためには移動しない正の屈折力を有する第１レンズ群と、変倍に際して移動する負の屈折力を有する第２レンズ群の焦点距離の比を規定することにより、光学系の小型化と収差変動の抑制に関して規定している。光学系の小型化と収差変動の抑制の両立には、式（１）の数値範囲が望ましい。
【００２０】
条件式（１）の下限の条件が満たされないと、第１レンズ群の焦点距離が長くなり、第２レンズ群の焦点距離が短くなる。第２レンズ群の焦点距離に対して、第１レンズ群の焦点距離が長くなるとその結果、前玉径が大きくなり、光学系の大型化に繋がってしまう。
【００２１】
条件式（１）の上限の条件が満たされないと、第１レンズ群の焦点距離が短くなり、第２レンズ群の焦点距離が長くなる。第２レンズ群の焦点距離に対して、第１レンズ群の焦点距離が短くなるとその結果、パワーが強くなり諸収差のズーム変動やフォーカス変動を抑制できなくなる。
【００２２】
条件式（１）は、次の（１ａ）の範囲を満足する事が更に好ましい。
−６．０＜ｆ１／ｆ２＜−３．５      （１ａ）
【００２３】
更に次の条件式を満足することが望ましい。
１．１＜ｆ１２／ｆ１＜２．２      （２）
ここで、ｆ１は常時固定の正の屈折力の第１レンズ群の焦点距離を示し、ｆ１２はフォーカシングの際に物体側に移動の正の屈折力を有する第１２レンズ群の焦点距離を示す。条件式（２）は、常時固定の正の屈折力の第１レンズ群の焦点距離と、無限遠物体から近距離物体にフォーカシングする際に物体側に移動する正の屈折力を有する第１２レンズ群の焦点距離の比を規定している。これにより、フォーカシング時の繰り出し量の低減と、フォーカシング時の収差変動の抑制に関して規定している。フォーカシング時の繰り出し量の低減と、フォーカシング時の諸収差の抑制の両立には、式（２）の数値範囲が望ましい。
【００２４】
条件式（２）の下限が満たされないと、常時固定の正の屈折力の第１レンズ群の焦点距離が長くなり、正の屈折力を有する第１２レンズ群の焦点距離が短くなる。第１レンズ群の焦点距離に対して、第１２レンズ群の焦点距離が短くなるとその結果、フォーカシング時の繰り出し量は少なくなるが、フォーカシング時の諸収差の変動を抑制できなくなる。
【００２５】
条件式（２）の上限が満たされないと、常時固定の正の屈折力の第１レンズ群の焦点距離が短くなり、正の屈折力を有する第１２レンズ群の焦点距離が長くなる。第１レンズ群の焦点距離に対して、第１２レンズ群の焦点距離が長くなるとその結果、フォーカスの諸収差の変動は抑制できるが、フォーカス時の繰り出し量が大きくなることで前玉径が大きくなり、光学系の大型化に繋がってしまう。
【００２６】
条件式（２）は、次の（２ａ）の範囲を満足することが更に好ましい。
１．３＜ｆ１２／ｆ１＜２．０      （２ａ）
【００２７】
更に次の条件式を満足することが望ましい。
３．２＜ｆ１３／ｆ１＜５．８      （３）
ここで、ｆ１３はフォーカシングのためには移動しない正の屈折力を有する第１３レンズ群の焦点距離を示し、ｆ１は変倍のためには移動しない正の屈折力を有する第１レンズ群の焦点距離を示す。条件式（３）は、フォーカシングのためには移動しない正の屈折力を有する第１３レンズ群の焦点距離、変倍のためには移動しない正の屈折力を有する第１レンズ群の焦点距離の比を規定することにより、フォーカス時の収差変動の抑制に関して規定している。フォーカス変動の抑制には、式（３）を満たすことが望ましい。
【００２８】
条件式（３）の下限が満たされないと、前記第１レンズ群の焦点距離が長くなり、前記第１３レンズ群の焦点距離が短くなる。その結果、第１３レンズ群のパワーが強くなってしまうため、フォーカシング時の諸収差の変動を抑制できなくなる。
【００２９】
条件式（３）の上限が満たされないと、前記第１レンズ群の焦点距離が短くなり、前記第１３レンズ群の焦点距離が長くなる。その結果、第１レンズ群の像側主点を像側に押し出すことができなくなるため、前玉径が大きくなり、光学系の大型化に繋がってしまう。
【００３０】
条件式（３）は、次の（３ａ）の範囲を満足することが更に好ましい。
３．４＜ｆ１３／ｆ１＜５．６      （３ａ）
【００３１】
更に次の条件式を満足することが望ましい。
−０．１＜ｏｋ／Ｄ＜０．４      （４）
ここで、ｏｋは第１レンズ群の後側（像側）主点位置を示し、Ｄは前記第１レンズ群の光軸上の厚さを示す。なお、後側（像側）主点位置は、第１レンズ群の最終面からの距離（物体側から像側への方向を正とする）によって記載した値である。条件式（４）は、前記第１レンズ群の像側主点と、前記第１レンズ群の光軸上の厚さの比を規定することにより、光学系の小型化と、フォーカシング時の収差変動の抑制に関して規定している。光学系の小型化と、フォーカシング時の収差変動の抑制の両立には、式（４）の数値範囲が望ましい。なお、前記第１レンズ群の像側主点は第１レンズ群の最終面から像面側をプラス、物体側をマイナスとする。
【００３２】
条件式（４）の下限が満たされないと、前記第１レンズ群の像側主点がマイナスになり、前記第１レンズ群の光軸上の厚さが長くなる。その結果、前玉径が大きくなり光学系の大型化に繋がってしまう。
【００３３】
条件式（４）の上限が満たされないと、前記第１レンズ群の像側主点がプラスに大きくなり、前記第１レンズ群の光軸上の厚さが短くなる。その結果、前玉径が小さくなり光学系の小型化に繋がるが、レトロ比を前玉で稼ぐためにレンズのパワーが強くなり、フォーカス時の諸収差の変動を抑制できなくなる。
【００３４】
条件式（４）は、次の（４ａ）の範囲を満足することが更に好ましい。
０．０＜ｏｋ／Ｄ＜０．２      （４ａ）
【実施例１】
【００３５】
数値実施例１としての実施例１において、第１レンズ群Ｕ１、第１１レンズ群Ｕ１１、第１２レンズ群Ｕ１２、第１３レンズ群Ｕ１３について説明する。
図１に本発明の実施例１のズームレンズの、（Ａ）広角端の無限遠フォーカス時、（Ｂ）広角端の至近距離（第１面より９００ｍｍ）フォーカス時、におけるレンズ断面図を示す。
【００３６】
各レンズ断面図において、左方が被写体（物体）側（前方）で、右方が像側（後方）である。Ｕ１は常時固定の正の屈折力の第１レンズ群である。Ｕ２は変倍用の第２レンズ群であり、光軸上を像面側へ移動させることにより、広角端から望遠端への変倍を行っている。Ｕ３とＵ４は共に変倍用の第３レンズ群および第４レンズ群であり、広角端から望遠端にかけて、光軸上を移動する。ＳＰは常時固定の開口絞り、Ｕ５は結像作用を有する第５レンズ群（リレーレンズ群）である。第５レンズ群Ｕ５内には、焦点距離変換用のコンバータ（エクステンダ）等が装着されても良い。また第５レンズ群以降のレンズ群を変倍や防振などのために移動させてもよく、複数のレンズ群から構成されていても良い。ＤＧは色分解プリズムや光学フィルタ−等であり、同図ではガラスブロックとして示している。ＩＰは像面であり、固体撮像素子の撮像面に相当する。
【００３７】
図２は、（Ａ）広角端・無限遠フォーカス時、（Ｂ）広角端至近距離（第１面より９００ｍｍ）フォーカス時、（Ｃ）望遠端・無限遠フォーカス時、（Ｄ）望遠端・至近距離（第１面より９００ｍｍ）フォーカス時の収差図である。
【００３８】
各収差図において、球面収差における直線と破線はそれぞれｅ線，ｇ線である。非点収差における実線と破線はそれぞれサジタル像面（ΔＳ）、メリディオナル像面（ΔＭ）であり、倍率色収差はｇ線によって表している。非点収差および倍率色収差は、絞り位置における光束の中心を通る光線を主光線としたときの収差量を示している。ωは近軸での半画角、ＦｎｏはＦナンバーである。尚、以下の各実施例において広角端と望遠端は変倍用レンズ群が機構上、光軸上を移動可能な範囲の両端に位置したときの変倍位置をいう。
【００３９】
本発明は、第１レンズ群のパワー配置やレンズ構成を適切に設定することにより、ズーム及びフォーカシングに伴う諸収差の変動を減少させ、全ズーム領域及び全フォーカス領域で高い光学性能を有しつつ、小型化を達成したズームレンズおよびそれを有する撮像装置を得ることができる。
【００４０】
第１レンズ群Ｕ１は、数値実施例１において第１レンズ面〜第１５レンズ面に対応している。
【００４１】
第１１レンズ群Ｕ１１は、数値実施例１において第１レンズ面〜第７レンズ面に対応し、物体側から像側へ順に負レンズと、負レンズと正レンズがこの順番で貼り合わされたレンズ、正レンズで構成されている。第１１レンズ群Ｕ１１はフォーカシングのためには移動しない。
【００４２】
第１２レンズ群Ｕ１２は、数値実施例１において第８レンズ面〜第１３レンズ面に対応し、物体側から像側へ順に、正レンズ、負レンズにて構成されている。第１２レンズ群Ｕ１２は至近物体にフォーカシング時に物体側へ繰り出す。
【００４３】
本実施例の第１２レンズ群Ｕ１２は、物体側から２枚目のレンズとして、像側に凸面を向けたメニスカス状の負の屈折力のレンズを有する。これにより、全ズーム領域でフォーカシング時の像面変動をより高精度に抑制することを可能としている。
【００４４】
第１３レンズ群Ｕ１３は、数値実施例１において第１４レンズ面〜第１５レンズ面に対応し、正レンズにて構成されている。第１３レンズ群Ｕ１３はフォーカシングのためには移動しない。
【００４５】
本実施例の各条件式対応値を表１に示す。本数値実施例は式（１）から（４）の条件式を満足しており、良好な光学性能を達成している。
【実施例２】
【００４６】
数値実施例２としての実施例２において、第１レンズ群Ｕ１、第１１レンズ群Ｕ１１、第１２レンズ群Ｕ１２、第１３レンズ群Ｕ１３について説明する。
図３に、実施例２のズームレンズの、（Ａ）広角端の無限遠フォーカス時、（Ｂ）広角端の至近距離（第１面より９００ｍｍ）フォーカス時、におけるレンズ断面図を示す。
【００４７】
第１レンズ群Ｕ１は、数値実施例２において第１レンズ面〜第１５レンズ面に対応している。第１１レンズ群Ｕ１１はフォーカシングのためには移動しない。
【００４８】
第１１レンズ群Ｕ１１は、数値実施例２において第１レンズ面〜第７レンズ面に対応し、物体側から像側へ順に負レンズと、負レンズと正レンズがこの順番で貼り合わされたレンズ、正レンズで構成されている。
【００４９】
第１２レンズ群Ｕ１２は、数値実施例１において第８レンズ面〜第１３レンズ面に対応し、物体側から像側へ順に、正レンズ、負レンズにて構成されている。第１２レンズ群Ｕ１２は至近側へフォーカシングさせる時に物体側へ繰り出す。
【００５０】
本実施例の第１２レンズ群Ｕ１２は、物体側から２枚目のレンズとして、負の屈折力を有する像側に凸のメニスカスレンズを有する。これにより、ズーム全域における像面変動をより高精度に抑制することを可能としている。
【００５１】
第１３レンズ群Ｕ１３は、数値実施例２において第１４レンズ面〜第１５レンズ面に対応し、正レンズにて構成されている。第１３レンズ群Ｕ１３はフォーカシングのためには移動しない。
【００５２】
図４に実施例２の、（Ａ）広角端・無限遠フォーカス時、（Ｂ）広角端至近距離（第１面より９００ｍｍ）フォーカス時、（Ｃ）望遠端・無限遠フォーカス時、（Ｄ）望遠端・至近距離（第１面より９００ｍｍ）フォーカス時の収差図を示す。
【００５３】
本実施例の各条件式対応値を表１に示す。本数値実施例は式（１）から（４）の条件式を満足しており、良好な光学性能を達成している。
【実施例３】
【００５４】
数値実施例３としての実施例３において、第１レンズ群Ｕ１、第１１レンズ群Ｕ１１、第１２レンズ群Ｕ１２、第１３レンズ群Ｕ１３について説明する。
図５に実施例３のズームレンズの、（Ａ）広角端の無限遠フォーカス時、（Ｂ）広角端の至近距離（第１面より９００ｍｍ）フォーカス時、におけるレンズ断面図を示す。
【００５５】
第１レンズ群Ｕ１は、数値実施例３において第１レンズ面〜第１５レンズ面に対応している。
【００５６】
第１１レンズ群Ｕ１１は、数値実施例３において第１レンズ面〜第７レンズ面に対応し、物体側から像側へ順に負レンズと、負レンズと正レンズがこの順番で貼り合わされたレンズ、正レンズで構成されている。第１１レンズ群Ｕ１１はフォーカシングのためには移動しない。
【００５７】
第１２レンズ群Ｕ１２は、数値実施例１において第８レンズ面〜第１３レンズ面に対応し、物体側から像側へ順に、正レンズ、負レンズにて構成されている。第１２レンズ群Ｕ１２は至近物体へのフォーカシング時に物体側へ繰り出す。
【００５８】
本実施例の第１２レンズ群Ｕ１２は、物体側から２枚目のレンズとして、像側に凸面を向けたメニスカス状の負の屈折力のレンズを有する。これにより、ズーム全域における像面変動をより高精度に抑制することを可能としている。
【００５９】
第１３レンズ群Ｕ１３は、数値実施例３において第１４レンズ面〜第１５レンズ面に対応し、正レンズにて構成されている。本実施例の各条件式対応値を表１に示す。第１３レンズ群Ｕ１３はフォーカシングのためには移動しない。
【００６０】
図６に実施例３の、（Ａ）広角端・無限遠フォーカス時、（Ｂ）広角端至近距離（第１面より９００ｍｍ）フォーカス時、（Ｃ）望遠端・無限遠フォーカス時、（Ｄ）望遠端・至近距離（第１面より９００ｍｍ）フォーカス時の収差図を示す。
【００６１】
本数値実施例は式（１）から（４）の条件式を満足しており、良好な光学性能を達成している。
【実施例４】
【００６２】
数値実施例４としての実施例２において、第１レンズ群Ｕ１、第１１レンズ群Ｕ１１、第１２レンズ群Ｕ１２、第１３レンズ群Ｕ１３について説明する。
図７に実施例４のズームレンズの、（Ａ）広角端の無限遠フォーカス時、（Ｂ）広角端の至近距離（第１面より９００ｍｍ）フォーカス時、におけるレンズ断面図を示す。
【００６３】
第１レンズ群Ｕ１は、数値実施例４において第１レンズ面〜第１５レンズ面に対応している。
【００６４】
第１１レンズ群Ｕ１１は、数値実施例４において第１レンズ面〜第７レンズ面に対応し、物体側から像側へ順に負レンズと、負レンズと正レンズがこの順番で貼り合わされたレンズ、正レンズで構成されている。第１１レンズ群Ｕ１１はフォーカシングのためには移動しない。
【００６５】
第１２レンズ群Ｕ１２は、数値実施例４において第８レンズ面〜第１３レンズ面に対応し、物体側から像側へ順に、正レンズ、負レンズにて構成されている。第１２レンズ群Ｕ１２は至近物体へのフォーカシング時に物体側へ繰り出す。
【００６６】
本実施例の第１２レンズ群Ｕ１２は、物体側から２枚目のレンズとして、像側に凸面を向けたメニスカス状の負の屈折力のレンズを有する。これにより、ズーム全域における像面変動をより高精度に抑制することを可能としている。
【００６７】
第１３レンズ群Ｕ１３は、数値実施例４において第１４レンズ面〜第１５レンズ面に対応し、正レンズにて構成されている。第１３レンズ群Ｕ１３はフォーカシングのためには移動しない。
【００６８】
図８に実施例４の、（Ａ）広角端・無限遠フォーカス時、（Ｂ）広角端至近距離（第１面より９００ｍｍ）フォーカス時、（Ｃ）望遠端・無限遠フォーカス時、（Ｄ）望遠端・至近距離（第１面より９００ｍｍ）フォーカス時の収差図を示す。
【００６９】
本実施例の各条件式対応値を表１に示す。本数値実施例は式（１）から（４）の条件式を満足しており、良好な光学性能を達成している。
【実施例５】
【００７０】
数値実施例５としての実施例２において、第１レンズ群Ｕ１、第１１レンズ群Ｕ１１、第１２レンズ群Ｕ１２、第１３レンズ群Ｕ１３について説明する。
図９に実施例５のズームレンズの、（Ａ）広角端の無限遠フォーカス時、（Ｂ）の広角端の至近距離（第１面より８５０ｍｍ）フォーカス時、におけるレンズ断面図を示す。
【００７１】
第１レンズ群Ｕ１は、数値実施例５において第１レンズ面〜第１４レンズ面に対応している。第１１レンズ群Ｕ１１はフォーカシングのためには移動しない。
【００７２】
第１１レンズ群Ｕ１１は、数値実施例５において第１レンズ面〜第７レンズ面に対応し、物体側から像側へ順に負レンズと、負レンズと正レンズがこの順番で貼り合わされたレンズ、正レンズで構成されている。第１１レンズ群Ｕ１１はフォーカシングのためには移動しない。
【００７３】
第１２レンズ群Ｕ１２は、数値実施例５において第８レンズ面〜第１２レンズ面に対応し、物体側から像側へ順に、正レンズ、負レンズにて構成されている。第１２レンズ群Ｕ１２は至近側へのフォーカシングに際して物体側へ繰り出す。
【００７４】
第１３レンズ群Ｕ１３は、数値実施例５において第１３レンズ面〜第１４レンズ面に対応し、正レンズにて構成されている。本実施例の各条件式対応値を表１に示す。第１３レンズ群Ｕ１３はフォーカシングのためには移動しない。
【００７５】
図１０に実施例５の、（Ａ）広角端・無限遠フォーカス時、（Ｂ）広角端至近距離（第１面より８５０ｍｍ）フォーカス時、（Ｃ）望遠端・無限遠フォーカス時、（Ｄ）望遠端・至近距離（第１面より８５０ｍｍ）フォーカス時の収差図を示す。
【００７６】
本数値実施例は式（１）から（４）の条件式を満足しており、良好な光学性能を達成している。
【００７７】
次に、上述した各ズームレンズを撮像光学系として用いた撮像装置１２５について説明する。図１１は各実施例のズームレンズを撮影光学系として用いた撮像装置（テレビカメラシステム）の要部概略図である。図１１において１０１は実施例１〜５のいずれか１つのズームレンズである。
【００７８】
１２４はカメラである。ズームレンズ１０１はカメラ１２４に対して着脱可能になっている。１２５はカメラ１２４にズームレンズ１０１を装着することにより構成される撮像装置である。ズームレンズ１０１は第１レンズ群１１４、変倍に際して移動する第２、第３レンズ群と、変倍及びフォーカシングに際して光軸上を移動する第４レンズ群を含む変倍部（兼フォーカス部）１１５、結像用の第５レンズ群１１６を有している。ＳＰは開口絞りである。変倍並びにフォーカシングのためには移動しない第５レンズ群１１６は、光路中より挿抜可能な変倍光学系ＩＥを有している。
【００７９】
変倍部１１５には、光軸方向に駆動されるための駆動機構が備えられている。１１７、１１８は変倍部１１５及び開口絞りＳＰを電動駆動するモータ等の駆動手段である。１１９、１２０は、変倍部１１５中の各レンズ群の光軸上の位置と、開口絞りＳＰの絞り径を検出する為のエンコーダやポテンショメータ、あるいはフォトセンサ等の検出器である。尚、変倍部１１５中の各レンズ群の駆動軌跡は、ヘリコイドやカムなどの機械的軌跡や、超音波モータなどによる電気的軌跡のどちらであっても構わない。カメラ１２４において、１０９はカメラ１２４内の光学フィルタや色分解プリズムに相当するガラスブロック、１１０はズームレンズ１０１によって形成された被写体像を受光するＣＣＤセンサやＣＭＯＳセンサ等の固体撮像素子（光電変換素子）である。また、１１１、１２２はカメラ１２４及びズームレンズ１０１の各種の駆動を制御するＣＰＵである。このように本発明のズームレンズをテレビカメラに適用することにより、高い光学性能を有する撮像装置を実現している。
【００８０】
以上、本発明の好ましい実施形態について説明したが、本発明はこれらの実施形態に限定されず、その要旨の範囲内で種々の変形及び変更が可能である。
【００８１】
次に本発明の実施例１〜５に対応する数値実施例１〜５を示す。各数値実施例においてｉは物体側からの光学面の順序を示し、ｒｉは物体側より第ｉ番目の光学面の曲率半径、ｄｉは物体側より第ｉ番目の光学面と第ｉ＋１番目の光学面との間隔、ｎｄｉとνｄｉは第ｉ番目光学面と第ｉ＋１番目の光学面との間の光学部材の屈折率とアッベ数である。最後の３つの面はフィルタ等の硝子ブロックである。焦点距離、Ｆナンバー、画角は、それぞれ無限遠物体に焦点を合わせたときの値を表している。ＢＦはガラスブロックの最終面から像面までの距離を空気換算した値である。また、各レンズ群の前側主点位置は各レンズ群の始面からの距離、各レンズ群の後側主点位置は各レンズ群の最終面からの距離（物体側から像側への方向を正とする）によって記載した値である。
【００８２】
各実施例と前述した各条件式との対応を表１に示す。
【００８３】
（数値実施例１）
単位 mm
面データ
面番号i      ri       di     ndi        vdi       有効径
1       -174.606    3.12   1.83400    37.2       87.94
2        217.817   11.85                         83.40
3        381.580    2.60   1.74950    35.3       80.85
4        143.810   11.90   1.43875    94.9       79.92
5       -242.468    0.15                         79.81
6     -25233.474   10.58   1.43387    95.1       79.21
7       -104.877   11.87                         78.88
8        232.270    9.54   1.43387    95.1       73.61
9       -148.902    2.34                         72.74
10        -99.523    2.37   1.74950    35.3       72.78
11       -146.185    0.15                         72.42
12        134.725   10.59   1.59522    67.7       72.00
13       -197.883    0.90                         71.43
14         48.593    5.25   1.74100    52.6       61.81
15         67.003  (可変)                         60.42
16         80.810    1.00   1.88300    40.8       24.54
17         15.616    5.34                         20.42
18        -51.673    6.71   1.80809    22.8       20.10
19        -12.903    0.75   1.88300    40.8       19.72
20         75.312    0.18                         19.58
21         29.636    3.54   1.66680    33.0       19.82
22         71.484  (可変)                         19.39
23        -30.279    0.75   1.75700    47.8       18.05
24         39.726    2.77   1.84649    23.9       19.45
25       1233.225  (可変)                         20.04
26       -206.179    3.43   1.64000    60.1       27.19
27        -42.694    0.15                         27.94
28         80.386    4.73   1.51633    64.1       29.32
29       -114.301  (可変)                         29.57
30(絞り)    ∞       0.00                         29.83
31          ∞       0.15                         29.83
32         66.493    8.26   1.51742    52.4       29.87
33        -32.337    1.00   1.83400    37.2       29.44
34       -196.006   33.20                         29.69
35         76.417    6.68   1.51633    64.1       29.35
36        -48.455    2.13                         29.27
37       -133.989    1.00   1.77250    49.6       27.85
38         22.315    9.56   1.50127    56.5       27.10
39        -48.158    0.18                         27.50
40         80.642    6.71   1.48749    70.2       27.18
41        -27.514    1.00   1.88300    40.8       26.82
42        157.880    0.16                         27.33
43         38.149    7.39   1.48749    70.2       28.12
44        -44.297    4.50                         28.03
45          ∞      33.00   1.60859    46.4       40.00
46          ∞      13.20   1.51633    64.1       40.00
47          ∞       6.95                         40.00
像面        ∞   
各種データ
ズーム比     18.00 
焦点距離        8.50     15.79     32.20     77.21    153.00  
Fナンバー       1.90      1.90      1.90      1.90      2.70  
画角           32.91     19.20      9.69      4.07      2.06  
像高            5.50      5.50      5.50      5.50      5.50  
レンズ全長    319.44    319.44    319.44    319.44    319.44  
BF              6.95      6.95      6.95      6.95      6.95  
d15             0.91     18.03     32.52     44.34     48.73  
d22            42.24     20.35      5.63      5.03      8.69  
d25            10.03     13.54     15.93     11.44      2.99  
d29            18.64     19.90     17.74     11.01     11.41  
d47             6.95      6.95      6.95      6.95      6.95  
入射瞳位置     61.92     94.67    160.05    350.22    639.59  
射出瞳位置   8477.85   8477.85   8477.85   8477.85   8477.85  
前側主点位置   70.43    110.49    192.37    428.13    795.36  
後側主点位置  - 1.55     -8.84    -25.25    -70.26   -146.05  
ズームレンズ群データ
群  始面    焦点距離  レンズ構成長  前側主点位置  後側主点位置
1    1      59.96        83.21        52.14          6.78
2   16     -13.89        17.51         2.56         -8.93
3   23     -42.63         3.52         0.01         -1.90
4   26      43.85         8.31         3.05         -2.32
5   30      56.16       128.12        56.53        -53.50
単レンズデータ
レンズ  始面  焦点距離
1       1   -115.05
2       3   -307.32
3       4    207.18
4       6    242.09
5       8    210.20
6      10   -422.45
7      12    135.81
8      14    211.80
9      16    -21.95
10      18     19.54
11      19    -12.35
12      21     72.91
13      23    -22.48
14      24     47.97
15      26     83.12
16      28     91.83
17      32     43.09
18      33    -46.27
19      35     58.28
20      37    -24.58
21      38     31.73
22      40     42.81
23      41    -26.32
24      43     43.17
25      45      0.00
26      46      0.00
【００８４】
（数値実施例２）
単位 mm
面データ
面番号i      ri       di     ndi        vdi       有効径
1       -231.939    3.12   1.83400    37.2       90.11
2        192.265    9.88                         85.66
3        247.999    2.60   1.74950    35.3       84.42
4        160.182   13.25   1.43875    94.9       83.55
5       -185.101    0.15                         83.24
6       -522.067    7.05   1.43387    95.1       82.11
7       -129.042   13.62                         81.75
8        145.656    9.37   1.43387    95.1       75.80
9       -288.360    2.74                         74.85
10       -136.948    2.37   1.74950    35.3       74.89
11       -185.195    0.15                         74.18
12        127.153    8.07   1.59522    67.7       68.68
13       -378.847    0.80                         67.63
14         56.801    3.60   1.74100    52.6       59.65
15         70.932  (可変)                         58.44
16        112.224    1.00   1.88300    40.8       22.87
17         16.044    5.00                         19.29
18        -36.937    5.42   1.80809    22.8       18.98
19        -12.337    0.75   1.88300    40.8       18.84
20        131.878    0.18                         19.03
21         35.454    3.39   1.66680    33.0       19.26
22        113.749  (可変)                         18.99
23        -30.599    0.75   1.75700    47.8       20.36
24         52.304    3.56   1.84649    23.9       22.06
25       -618.990  (可変)                         23.00
26       -115.344    3.26   1.64000    60.1       26.85
27        -35.503    0.15                         27.56
28        122.650    3.78   1.51633    64.1       29.05
29        -77.736  (可変)                         29.31
30(絞り)    ∞       0.00                         29.56
31          ∞       0.15                         29.56
32         67.259    8.55   1.51742    52.4       29.67
33        -30.867    1.00   1.83400    37.2       29.31
34       -139.259   33.20                         29.68
35        176.404    4.85   1.51633    64.1       29.45
36        -42.864    0.79                         29.34
37        183.199    1.00   1.77250    49.6       28.13
38         24.161    7.99   1.50127    56.5       27.02
39        -66.090    0.13                         26.90
40        305.877    6.40   1.48749    70.2       26.38
41        -22.947    1.00   1.88300    40.8       25.91
42        255.713    0.18                         26.55
43         44.822    7.87   1.48749    70.2       27.17
44        -39.489    4.50                         27.17
45          ∞      33.00   1.60859    46.4       40.00
46          ∞      13.20   1.51633    64.1       40.00
47          ∞       6.96                         40.00
像面        ∞   
各種データ
ズーム比     18.00 
焦点距離        8.50     15.81     32.14     77.18    153.00  
Fナンバー       1.90      1.90      1.90      1.90      2.70  
画角           32.91     19.18      9.71      4.08      2.06  
像高            5.50      5.50      5.50      5.50      5.50  
レンズ全長    306.45    306.45    306.45    306.45    306.45  
BF              6.96      6.96      6.96      6.96      6.96  
d15             1.04     21.71     39.90     55.18     61.18  
d22            48.68     22.77      6.64      3.72      4.39  
d25             4.53      9.14     12.76     10.30      3.99  
d29            17.41     18.04     12.36      2.46      2.09  
d47             6.96      6.96      6.96      6.96      6.96  
入射瞳位置     62.21     99.74    174.05    375.12    639.98  
射出瞳位置   -774.36   -774.36   -774.36   -774.36   -774.36  
前側主点位置   70.62    115.23    204.87    444.68    763.02  
後側主点位置   -1.54     -8.85    -25.18    -70.23   -146.04  
ズームレンズ群データ
群  始面    焦点距離  レンズ構成長  前側主点位置  後側主点位置
1    1      75.00        76.77        51.49          5.33
2   16     -13.50        15.75         2.12         -8.57
3   23     -46.32         4.31        -0.19         -2.54
4   26      42.67         7.19         3.20         -1.41
5   30      55.35       123.82        51.39        -55.56
単レンズデータ
レンズ  始面  焦点距離
1       1   -124.83
2       3   -607.26
3       4    197.54
4       6    391.95
5       8    223.95
6      10   -711.72
7      12    160.34
8      14    345.52
9      16    -21.18
10      18     20.64
11      19    -12.67
12      21     75.39
13      23    -25.28
14      24     56.56
15      26     78.57
16      28     92.40
17      32     41.96
18      33    -47.45
19      35     67.05
20      37    -35.95
21      38     36.22
22      40     43.92
23      41    -23.67
24      43     44.28
25      45      0.00
26      46      0.00
【００８５】
（数値実施例３）
単位 mm
面データ
面番号i      ri       di     ndi        vdi       有効径
1       -139.901    3.12   1.83400    37.2       87.33
2        243.678   12.49                         83.57
3        753.280    2.60   1.74950    35.3       81.44
4        152.158   12.75   1.43875    94.9       80.65
5       -162.674    0.15                         80.79
6       3277.548   11.23   1.43387    95.1       80.19
7        -94.761   10.10                         80.05
8        271.169    9.22   1.43387    95.1       74.29
9       -146.578    2.39                         73.66
10        -97.361    2.37   1.74950    35.3       73.70
11       -145.215    0.15                         74.68
12        130.643   12.14   1.59522    67.7       74.33
13       -185.710    0.86                         73.59
14         45.302    6.07   1.74100    52.6       62.18
15         62.037  (可変)                         60.41
16         65.665    1.00   1.88300    40.8       25.59
17         15.129    5.72                         21.00
18        -56.878    6.67   1.80809    22.8       20.68
19        -13.000    0.75   1.88300    40.8       20.28
20         73.391    0.18                         20.04
21         28.151    2.28   1.66680    33.0       20.27
22         65.252  (可変)                         20.04
23        -27.904    0.75   1.75700    47.8       16.84
24         32.313    3.10   1.84649    23.9       18.18
25        501.813  (可変)                         18.83
26       -206.733    3.02   1.64000    60.1       27.01
27        -42.944    0.15                         27.57
28         69.472    3.58   1.51633    64.1       28.92
29       -147.229  (可変)                         29.01
30(絞り)    ∞       0.00                         29.14
31          ∞       0.15                         29.14
32         75.581    8.20   1.51742    52.4       29.15
33        -29.989    1.00   1.83400    37.2       28.75
34       -154.782   33.20                         29.08
35         71.477    5.63   1.51633    64.1       29.42
36        -47.847    2.00                         29.37
37       -128.627    1.00   1.77250    49.6       27.96
38         22.374    9.68   1.50127    56.5       27.19
39        -47.108    0.17                         27.59
40         80.804    6.57   1.48749    70.2       27.24
41        -28.081    1.00   1.88300    40.8       26.87
42        149.214    0.14                         27.33
43         37.035    6.86   1.48749    70.2       28.10
44        -47.142    4.50                         28.00
45          ∞      33.00   1.60859    46.4       40.00
46          ∞      13.20   1.51633    64.1       40.00
47          ∞       6.91                         40.00
像面        ∞   
各種データ
ズーム比      18.00 
焦点距離         8.50      15.75      32.18      77.15     153.00  
Fナンバー        1.90       1.90       1.90       1.90       2.70  
画角            32.91      19.24       9.70       4.08       2.06  
像高             5.50       5.50       5.50       5.50       5.50  
レンズ全長     320.55     320.55     320.55     320.55     320.55  
BF               6.91       6.91       6.91       6.91       6.91  
d15              0.82      16.76      29.91      40.34      44.16  
d22             38.12      19.32       5.91       5.24       9.13  
d25             13.22      15.78      17.18      12.12       2.98  
d29             22.33      22.61      21.47      16.78      18.21  
d47              6.91       6.91       6.91       6.91       6.91  
入射瞳位置      61.29      93.47     157.79     346.39     654.34  
射出瞳位置  -73889.66  -73889.66  -73889.66  -73889.66  -73889.66  
前側主点位置    69.79     109.22     189.95     423.46     807.03  
後側主点位置    -1.59      -8.84     -25.27     -70.24    -146.09  
ズームレンズ群データ
群  始面    焦点距離  レンズ構成長  前側主点位置  後側主点位置
1    1      55.17        85.66        50.91          6.67
2   16     -14.46        16.59         2.56         -8.60
3   23     -38.30         3.85         0.09         -2.00
4   26      43.86         6.76         2.51         -1.84
5   30      54.93       126.29        54.89        -51.03
単レンズデータ
レンズ  始面  焦点距離
1       1   -105.50
2       3   -253.17
3       4    180.98
4       6    211.95
5       8    220.22
6      10   -400.08
7      12    130.26
8      14    195.37
9      16    -22.34
10      18     19.32
11      19    -12.38
12      21     71.95
13      23    -19.58
14      24     40.28
15      26     83.75
16      28     91.59
17      32     42.43
18      33    -44.48
19      35     56.21
20      37    -24.48
21      38     31.61
22      40     43.46
23      41    -26.54
24      43     43.57
25      45      0.00
26      46      0.00
【００８６】
（数値実施例４）
単位 mm
面データ
面番号i      ri       di     ndi        vdi       有効径
1       -182.987    3.12   1.83400    37.2       90.09
2        256.998    9.23                         86.54
3        469.311    2.60   1.74950    35.3       85.18
4        212.671   12.57   1.43875    94.9       84.41
5       -166.671    0.15                         84.17
6       -390.809    8.25   1.43387    95.1       83.06
7       -112.277   13.53                         82.67
8        169.827   10.35   1.43387    95.1       76.19
9       -179.480    1.89                         75.20
10       -121.726    2.37   1.74950    35.3       75.29
11       -188.382    0.15                         74.45
12        125.935    8.64   1.59522    67.7       68.97
13       -305.083    0.83                         67.86
14         54.225    4.22   1.74100    52.6       60.25
15         70.826  (可変)                         58.92
16        104.737    1.00   1.88300    40.8       24.35
17         16.398    5.16                         20.43
18        -46.999    6.09   1.80809    22.8       20.14
19        -12.911    0.75   1.88300    40.8       19.88
20         89.591    0.18                         19.87
21         32.356    3.63   1.66680    33.0       20.11
22         99.490  (可変)                         19.74
23        -31.646    0.75   1.75700    47.8       18.64
24         43.603    2.85   1.84649    23.9       20.00
25      -9785.110  (可変)                         20.61
26       -164.963    3.16   1.64000    60.1       25.88
27        -38.000    0.15                         26.50
28        100.290    3.24   1.51633    64.1       27.61
29        -96.770  (可変)                         27.76
30(絞り)    ∞       0.00                         27.85
31          ∞       0.15                         27.85
32         91.337    8.30   1.51742    52.4       27.87
33        -27.657    1.00   1.83400    37.2       27.54
34       -117.067   33.20                         28.01
35        561.500    4.40   1.51633    64.1       28.88
36        -40.526    0.77                         29.05
37        152.512    1.00   1.77250    49.6       28.10
38         23.047    9.01   1.50127    56.5       27.10
39        -50.219    0.15                         27.12
40     -51034.821    5.90   1.48749    70.2       26.56
41        -23.788    1.00   1.88300    40.8       26.19
42        364.009    0.17                         26.89
43         41.095    8.01   1.48749    70.2       27.63
44        -42.996    4.50                         27.54
45          ∞      33.00   1.60859    46.4       40.00
46          ∞      13.20   1.51633    64.1       40.00
47          ∞       6.96                         40.00
像面        ∞   
各種データ
ズーム比      18.00 
焦点距離         8.50      15.77      32.22      77.22     153.00  
Fナンバー        1.90       1.90       1.90       1.90       2.70  
画角            32.91      19.23       9.69       4.07       2.06  
像高             5.50       5.50       5.50       5.50       5.50  
レンズ全長     305.93     305.93     305.93     305.93     305.93  
BF               6.96       6.96       6.96       6.96       6.96  
d15              1.02      20.15      37.33      51.35      56.61  
d22             46.34      21.06       5.42       3.77       4.84  
d25              7.73      12.07      15.07      11.15       3.29  
d29             15.26      17.06      12.52       4.08       5.59  
d47              6.96       6.96       6.96       6.96       6.96  
入射瞳位置      62.36      97.96     170.77     369.41     627.99  
射出瞳位置   35651.55   35651.55   35651.55   35651.55   35651.55  
前側主点位置    70.87     113.73     203.01     446.80     781.65  
後側主点位置    -1.54      -8.81     -25.25     -70.26    -146.04  
ズームレンズ群データ
群  始面    焦点距離  レンズ構成長  前側主点位置  後側主点位置
1    1      70.00        77.90        51.12          5.68
2   16     -14.40        16.81         2.23         -9.03
3   23     -45.94         3.60        -0.05         -2.01
4   26      42.53         6.55         2.78         -1.43
5   30      52.65       123.77        52.73        -48.48
単レンズデータ
レンズ  始面  焦点距離
1       1   -126.93
2       3   -517.68
3       4    214.61
4       6    358.96
5       8    202.43
6      10   -463.02
7      12    150.36
8      14    280.39
9      16    -22.01
10      18     20.18
11      19    -12.66
12      21     69.88
13      23    -24.00
14      24     50.79
15      26     76.10
16      28     95.57
17      32     41.84
18      33    -43.37
19      35     73.12
20      37    -35.10
21      38     32.73
22      40     48.65
23      41    -25.11
24      43     44.34
25      45      0.00
26      46      0.00
【００８７】
（数値実施例５）
単位 mm
面データ
面番号i      ri       di     ndi        vdi      有効径
1       -164.119    3.12   1.83400    37.2       93.23
2        195.375    7.54                         89.62
3        223.579    2.60   1.80000    29.8       90.87
4        126.345   18.53   1.43875    94.9       90.42
5       -136.677    0.15                         90.68
6      43305.138    7.64   1.43387    95.1       89.43
7       -180.862   11.07                         89.21
8        141.504   11.57   1.43387    95.1       85.03
9       -299.467    0.15                         84.27
10        103.293    9.65   1.59522    67.7       77.14
11      -1972.833    0.50                         76.35
12         56.944    5.00   1.74100    52.6       67.43
13         68.929  (可変)                         65.21
14         50.393    0.90   1.88300    40.8       27.27
15         14.454    6.29                         21.97
16        -61.501    7.06   1.80809    22.8       21.81
17        -13.907    0.70   1.88300    40.8       21.33
18         74.379    0.20                         20.98
19         27.898    3.02   1.66680    33.0       21.22
20         80.655  (可変)                         20.85
21        -28.542    0.75   1.75700    47.8       17.69
22         34.093    2.93   1.84649    23.9       19.09
23        902.431  (可変)                         19.65
24(絞り)    ∞       1.30                         27.26
25       -264.229    4.65   1.63854    55.4       27.90
26        -35.747    0.15                         28.79
27        317.493    3.14   1.51633    64.1       29.44
28       -143.447    0.15                         29.63
29         58.117    7.60   1.51742    52.4       29.71
30        -32.347    0.90   1.83481    42.7       29.37
31       -393.353   32.40                         29.56
32         73.886    6.06   1.49700    81.5       30.61
33        -49.330    2.00                         30.58
34        144.177    1.40   1.83403    37.2       28.73
35         25.773    6.80   1.48749    70.2       27.41
36       -164.891    0.18                         27.25
37         81.995    7.36   1.50127    56.5       26.90
38        -23.843    1.40   1.83481    42.7       26.36
39        118.552    0.15                         26.72
40         48.731    6.02   1.50127    56.5       27.12
41        -40.073    4.00                         27.12
42          ∞      33.00   1.60859    46.4       40.00
43          ∞      13.20   1.51633    64.1       40.00
44          ∞       7.30                         40.00
像面        ∞   
各種データ
ズーム比      22.00 
焦点距離         8.00      16.00      32.00      64.00     176.00  
Fナンバー        1.90       1.90       1.90       1.90       2.80  
画角            34.51      18.97       9.75       4.91       1.79  
像高             5.50       5.50       5.50       5.50       5.50  
レンズ全長     304.43     304.43     304.43     304.43     304.43  
BF               7.30       7.30       7.30       7.30       7.30  
d13              0.80      22.55      37.27      47.14      54.87  
d20             53.95      29.53      13.10       4.56       9.03  
d23             11.15      13.82      15.52      14.19       2.00  
d44              7.30       7.30       7.30       7.30       7.30  
入射瞳位置      60.63     106.10     179.48     300.03     613.33  
射出瞳位置   63966.32   63966.32   63966.32   63966.32   63966.32  
前側主点位置    68.63     122.11     211.50     364.09     789.82  
後側主点位置    -0.70      -8.70     -24.70     -56.70    -168.70  
ズームレンズ群データ
群  始面    焦点距離  レンズ構成長  前側主点位置  後側主点位置
1    1      68.21        77.52        48.15          5.75
2   14     -16.01        18.18         2.35        -10.06
3   21     -40.23         3.68         0.03         -1.97
4   24      50.44       131.86        50.48       -106.06
単レンズデータ
レンズ  始面  焦点距離
1       1   -105.85
2       3   -364.65
3       4    152.55
4       6    414.11
5       8    222.70
6      10    164.61
7      12    373.49
8      14    -23.09
9      16     20.63
10      17    -13.14
11      19     62.08
12      21    -20.32
13      22     41.38
14      25     63.96
15      27    191.10
16      29     41.16
17      30    -42.03
18      32     60.33
19      34    -37.59
20      35     46.11
21      37     37.57
22      38    -23.54
23      40     44.70
24      42      0.00
25      43      0.00
【００８８】
【表１】
0006628556.tif 000002
【符号の説明】
【００８９】
Ｕ１：第１レンズ群
Ｕ２：第２レンズ群
Ｕ３：第３レンズ群
Ｕ４：第４レンズ群
Ｕ５：第５レンズ群
Ｕ１１：第１１レンズ群
Ｕ１２：第１２レンズ群
Ｕ１３：第１３レンズ群
ＳＰ：絞り
【図１】
0006628556.tif 000003
【図２】
0006628556.tif 000004
【図３】
0006628556.tif 000005
【図４】
0006628556.tif 000006
【図５】
0006628556.tif 000007
【図６】
0006628556.tif 000008
【図７】
0006628556.tif 000009
【図８】
0006628556.tif 000010
【図９】
0006628556.tif 000011
【図１０】
0006628556.tif 000012
【図１１】
0006628556.tif 000013
【図１２】
0006628556.tif 000014